(57)【要約】【課題】押圧量検知型タッチパネルを利用してユーザ認証を行う機能を有している電子機器において、１回の操作で複数の異なる符号列の入力を可能にすることで、ユーザ認証におけるユーザの操作回数を減らし、かつ、セキュリティ向上を可能とする。【解決手段】電子機器１の機能部１１は、表示部１３に要認証機能のユーザ認証画面を表示させる。操作部１４は、ユーザがタッチパネルディスプレイに接触した座標および押圧量を検知し、操作認識部１５は、記憶部１２が記憶するユーザ認証画面の領域情報を参照し、操作部１４から受け取った座標および押圧量に基づいて、ユーザがユーザ認証画面に入力した複数の異なる番号を示す入力番号情報を取得する。認証制御部１６は、入力番号情報と記憶部１２が記憶する暗証番号情報とを照合して、一致する場合、機能部１１に要認証機能のロック解除の指示を送る。【選択図】図２
2013257661.tif 000002
【特許請求の範囲】
【請求項１】
タッチパネルディスプレイを備え、ユーザ認証を必要とする要認証機能を有する電子機器であって、
前記要認証機能のユーザ認証画面を前記タッチパネルディスプレイに表示する表示手段と、
前記要認証機能のロックを解除する暗証符号列を示す暗証符号列情報と、前記ユーザ認証画面を構成する領域に対応付けられた符号列を示す領域情報とを記憶する記憶手段と、
ユーザが前記タッチパネルディスプレイに接触した座標および押圧量を検知する検知手段と、
前記ユーザが前記タッチパネルディスプレイに接触を開始してから、連続する接触を終了するまでの１回の操作中に、前記検知手段が検知した前記押圧量が２以上の段階に亘って変化した場合に、前記押圧量の２以上の変化点を検出する判別手段と、
前記判別手段が検出した前記変化点それぞれの前記座標と、前記領域情報とに基づいて、２以上の異なる符号列を認識し、前記ユーザが１回の操作で前記ユーザ認証画面に入力した前記２以上の異なる符号列を示す入力符号列情報を取得する認識手段と、
前記暗証符号列情報と前記入力符号列情報とを照合して、一致する場合、前記要認証機能のロックを解除し、一致しない場合、前記要認証機能のロックを解除しない制御を行う認証手段と、
を備えることを特徴とする電子機器。
【請求項２】
前記判別手段は、第１閾値以下の前記押圧量を押圧弱と判別し、前記第１閾値以上の値である第２閾値以上の前記押圧量を押圧強と判別し、前記押圧量が前記押圧強に変化する第１の変化点と、前記押圧量の段階が前記押圧強と判別した後、前記押圧弱に変化する第２の変化点とを検出し、
前記認識手段は、前記第１の変化点の前記座標と、前記領域情報とに基づいて、第１の符号列を認識し、前記第２の変化点の前記座標と、前記領域情報とに基づいて、第２の符号列を認識し、前記ユーザが１回の操作で前記ユーザ認証画面に入力した前記第１の符号列および前記第２の符号列を示す前記入力符号列情報を取得する、
ことを特徴とする請求項１に記載の電子機器。
【請求項３】
前記判別手段は、前記第１閾値より小さい値である第３閾値以下の前記押圧量を無効と判別し、前記第２閾値より大きい値である第４閾値以上の前記押圧量を無効と判別し、
前記認識手段は、前記判別手段が判別した前記押圧量の段階が無効である場合、前記ユーザの操作を無効と認識する、
ことを特徴とする請求項２に記載の電子機器。
【請求項４】
前記ユーザ認証画面は、前記符号列を入力する符号列入力領域を含み、前記符号列入力領域は、ドラッグして回転させることで、前記符号列を入力可能なダイヤルアイコンであることを特徴とする請求項１ないし３のいずれか１項に記載の電子機器。
【請求項５】
前記ユーザ認証画面は、前記符号列を入力する符号列入力領域を含み、前記符号列入力領域は、ドラッグして回転させることで、同時に２組の前記符号列を入力可能な球体アイコンであることを特徴とする請求項１ないし３のいずれか１項に記載の電子機器。
【請求項６】
前記検知手段が継続して前記座標および前記押圧量を検知しない無操作時間を計測し、前記無操作時間が所定の時間を超えたか否かを判断する無操作判断手段をさらに備え、
前記表示手段は、前記無操作判断手段が、前記無操作時間が所定の時間を超えたと判断した場合、前記ユーザ認証画面の表示を中止することを特徴とする請求項１ないし５のいずれか１項に記載の電子機器。
【請求項７】
タッチパネルディスプレイを備え、ユーザ認証を必要とする要認証機能を有する電子機器が実行するユーザ認証方法であって、
前記要認証機能のユーザ認証画面を前記タッチパネルディスプレイに表示する表示ステップと、
ユーザが前記タッチパネルディスプレイに接触した座標および押圧量を検知する検知ステップと、
前記ユーザが前記タッチパネルディスプレイに接触を開始してから、連続する接触を終了するまでの１回の操作中に、前記検知ステップで検知した前記押圧量が２以上の段階に亘って変化した場合に、前記押圧量の２以上の変化点を検出する判別ステップと、
前記判別ステップで検出した前記変化点それぞれの前記座標と、記憶手段が記憶する前記ユーザ認証画面を構成する領域に対応付けられた符号列を示す領域情報とに基づいて、２以上の異なる符号列を認識し、前記ユーザが１回の操作で前記ユーザ認証画面に入力した前記２以上の異なる符号列を示す入力符号列情報を取得する認識ステップと、
前記記憶手段が記憶する前記要認証機能のロックを解除する暗証符号列を示す暗証符号列情報と前記入力符号列情報とを照合して、一致する場合、前記要認証機能のロックを解除し、一致しない場合、前記要認証機能のロックを解除しない制御を行う認証ステップと、
を備えることを特徴とするユーザ認証方法。
【請求項８】
前記判別ステップでは、第１閾値以下の前記押圧量を押圧弱と判別し、前記第１閾値以上の値である第２閾値以上の前記押圧量を押圧強と判別し、前記押圧量が前記押圧強に変化する第１の変化点と、前記押圧量の段階が前記押圧強と判別した後、前記押圧弱に変化する第２の変化点とを検出し、
前記認識ステップでは、前記第１の変化点の前記座標と、前記領域情報とに基づいて、第１の符号列を認識し、前記第２の変化点の前記座標と、前記領域情報とに基づいて、第２の符号列を認識し、前記ユーザが１回の操作で前記ユーザ認証画面に入力した前記第１の符号列および前記第２の符号列を示す前記入力符号列情報を取得する、
ことを特徴とする請求項７に記載のユーザ認証方法。
【請求項９】
前記判別ステップでは、前記第１閾値より小さい値である第３閾値以下の前記押圧量を無効と判別し、前記第２閾値より大きい値である第４閾値以上の前記押圧量を無効と判別し、
前記認識ステップでは、前記判別ステップで判別した前記押圧量の段階が無効である場合、前記ユーザの操作を無効と認識する、
ことを特徴とする請求項８に記載のユーザ認証方法。
【請求項１０】
タッチパネルディスプレイを備え、ユーザ認証を必要とする要認証機能を有するコンピュータを、
前記要認証機能のユーザ認証画面を前記タッチパネルディスプレイに表示する表示手段、
前記要認証機能のロックを解除する暗証符号列を示す暗証符号列情報と、前記ユーザ認証画面を構成する領域に対応付けられた符号列を示す領域情報とを記憶する記憶手段、
ユーザが前記タッチパネルディスプレイに接触した座標および押圧量を検知する検知手段、
前記ユーザが前記タッチパネルディスプレイに接触を開始してから、連続する接触を終了するまでの１回の操作中に、前記検知手段が検知した前記押圧量が２以上の段階に亘って変化した場合に、前記押圧量の２以上の変化点を検出する判別手段、
前記判別手段が検出した前記変化点それぞれの前記座標と、前記領域情報とに基づいて、２以上の異なる符号列を認識し、前記ユーザが１回の操作で前記ユーザ認証画面に入力した前記２以上の異なる符号列を示す入力符号列情報を取得する認識手段、および、
前記暗証符号列情報と前記入力符号列情報とを照合して、一致する場合、前記要認証機能のロックを解除し、一致しない場合、前記要認証機能のロックを解除しない制御を行う認証手段、
として機能させることを特徴とするプログラム。
【発明の詳細な説明】
【技術分野】
【０００１】
本発明は、ユーザ認証機能を備える電子機器、ユーザ認証方法およびプログラムに関する。
【背景技術】
【０００２】
タッチパネルディスプレイを備える携帯電話機等の電子機器において、ユーザ認証を必要とする機能を呼び出した場合、ユーザ認証画面が表示される。ユーザはユーザ認証画面に暗証符号列と一致する符号列を入力し、該機能のロックを解除する。符号列の入力方法には、たとえば、タッチパネルディスプレイに表示されたユーザ認証画面のテンキーにタッチして入力する方法等がある。
【０００３】
タッチパネルに対する入力方法としては、特許文献１のように、予め設定された操作と入力された操作の移動軌跡の大小を判別し、移動軌跡が所定値より小さい場合は通常操作と認識し第１のコマンドを実行、移動軌跡が所定値以上の場合は特殊操作と認識し第２のコマンドを実行させるなど、入力操作の移動軌跡の大小に応じて実行するコマンドをどちらか選択する方法も考案されている。
【０００４】
特許文献２では、認証処理時などに入力が要求されるパスワードについて、所定桁の入力情報だけでなく、パスワード入力時における操作キーに対する押圧力の大きさ、押圧操作タイミングをもパスワードを構成する情報として用いて認証処理を行う電子機器が開示されている。
【０００５】
特許文献３には、入力キーを、キー情報の所定の順序通りに同一円周上に表示すると共に、この利用者がＳｃｒａｍｂｌｅキーを押した場合に、それらの配列を変化させずに当該入力キーが表示されている円の周方向に任意のキー情報の数だけ電子的に回転移動して表示する情報入力装置が開示されている。
【０００６】
特許文献４には、タッチパッドにユーザの指がタッチした時、タッチ位置を初期位置とし、初期位置から反時計回り方向には文字種別選択のための複数の入力モードを設定し、時計回り方向には現在の入力モードで入力できる各文字を設定する携帯電話端末が開示されている。
【０００７】
特許文献５には、面接触センサーを利用し指などの移動速度や、指などの接触点の数や、センサーへの押圧力の違いを区別して検出し、接触動作の移動速度や接触点数、あるいは押圧力の違いによって様々な異なる操作が可能となる表示操作装置が開示されている。
【０００８】
特許文献６には、利用者の周囲に不審者を検出したことを契機として、あるいは利用者がボタンを押し下げる手動操作を契機として、タッチパネル付きテンキーパネルにおけるテンキーの表示エリアを変更するタッチパネル型入力装置が開示されている。
【０００９】
特許文献７には、デジタルデータ出力用画面に表示された出力箇所へのタッチ強度を２段階（強度１、強度２）に判別し、判別結果に基づいて、デジタルデータの出力箇所の選択か、デジタルデータの出力要求かを判定する表示監視装置が開示されている。
【先行技術文献】
【特許文献】
【００１０】
【特許文献１】特開２００９−１２３００４号公報
【特許文献２】特開２００２−３２８９０３号公報
【特許文献３】特開２００５−３１７０４５号公報
【特許文献４】特開２００９−１２８９３９号公報
【特許文献５】特開２０１０−１４６２０６号公報
【特許文献６】特開２０１０−２８５７５６号公報
【特許文献７】特開平０６−２８２３７８号公報
【発明の概要】
【発明が解決しようとする課題】
【００１１】
しかしながら、上記のような入力方法では、１回の操作で１文字の入力、あるいは１操作の入力となっており、セキュリティ向上のために入力文字数を増やすほど操作回数が多くなり、使用者にとっては使い勝手が悪いという課題がある。
【００１２】
本発明は、上述のような事情に鑑みてなされたものであり、押圧量検知型タッチパネルを利用してユーザ認証を行う機能を有している電子機器において、１回の操作で複数の異なる符号列の入力を可能にすることで、ユーザ認証におけるユーザの操作回数を減らし、かつ、セキュリティ向上を可能とする電子機器、ユーザ認証方法およびプログラムを提供することを目的とする。
【課題を解決するための手段】
【００１３】
本発明の第１の観点に係る電子機器は、
タッチパネルディスプレイを備え、ユーザ認証を必要とする要認証機能を有する電子機器であって、
前記要認証機能のユーザ認証画面を前記タッチパネルディスプレイに表示する表示手段と、
前記要認証機能のロックを解除する暗証符号列を示す暗証符号列情報と、前記ユーザ認証画面を構成する領域に対応付けられた符号列を示す領域情報とを記憶する記憶手段と、
ユーザが前記タッチパネルディスプレイに接触した座標および押圧量を検知する検知手段と、
前記ユーザが前記タッチパネルディスプレイに接触を開始してから、連続する接触を終了するまでの１回の操作中に、前記検知手段が検知した前記押圧量が２以上の段階に亘って変化した場合に、前記押圧量の２以上の変化点を検出する判別手段と、
前記判別手段が検出した前記変化点それぞれの前記座標と、前記領域情報とに基づいて、２以上の異なる符号列を認識し、前記ユーザが１回の操作で前記ユーザ認証画面に入力した前記２以上の異なる符号列を示す入力符号列情報を取得する認識手段と、
前記暗証符号列情報と前記入力符号列情報とを照合して、一致する場合、前記要認証機能のロックを解除し、一致しない場合、前記要認証機能のロックを解除しない制御を行う認証手段と、
を備えることを特徴とする。
【００１４】
本発明の第２の観点に係るユーザ認証方法は、
タッチパネルディスプレイを備え、ユーザ認証を必要とする要認証機能を有する電子機器が実行するユーザ認証方法であって、
前記要認証機能のユーザ認証画面を前記タッチパネルディスプレイに表示する表示ステップと、
ユーザが前記タッチパネルディスプレイに接触した座標および押圧量を検知する検知ステップと、
前記ユーザが前記タッチパネルディスプレイに接触を開始してから、連続する接触を終了するまでの１回の操作中に、前記検知ステップが検知した前記押圧量が２以上の段階に亘って変化した場合に、前記押圧量の２以上の変化点を検出する判別ステップと、
前記判別ステップが検出した前記変化点それぞれの前記座標と、記憶手段が記憶する前記ユーザ認証画面を構成する領域に対応付けられた符号列を示す領域情報とに基づいて、２以上の異なる符号列を認識し、前記ユーザが１回の操作で前記ユーザ認証画面に入力した前記２以上の異なる符号列を示す入力符号列情報を取得する認識ステップと、
前記記憶手段が記憶する前記要認証機能のロックを解除する暗証符号列を示す暗証符号列情報と前記入力符号列情報とを照合して、一致する場合、前記要認証機能のロックを解除し、一致しない場合、前記要認証機能のロックを解除しない制御を行う認証ステップと、
を備えることを特徴とする。
【００１５】
本発明の第３の観点に係るプログラムは、
タッチパネルディスプレイを備え、ユーザ認証を必要とする要認証機能を有するコンピュータを、
前記要認証機能のユーザ認証画面を前記タッチパネルディスプレイに表示する表示手段、
前記要認証機能のロックを解除する暗証符号列を示す暗証符号列情報と、前記ユーザ認証画面を構成する領域に対応付けられた符号列を示す領域情報とを記憶する記憶手段、
ユーザが前記タッチパネルディスプレイに接触した座標および押圧量を検知する検知手段、
前記ユーザが前記タッチパネルディスプレイに接触を開始してから、連続する接触を終了するまでの１回の操作中に、前記検知手段が検知した前記押圧量が２以上の段階に亘って変化した場合に、前記押圧量の２以上の変化点を検出する判別手段、
前記判別手段が検出した前記変化点それぞれの前記座標と、前記領域情報とに基づいて、２以上の異なる符号列を認識し、前記ユーザが１回の操作で前記ユーザ認証画面に入力した前記２以上の異なる符号列を示す入力符号列情報を取得する認識手段、および、
前記暗証符号列情報と前記入力符号列情報とを照合して、一致する場合、前記要認証機能のロックを解除し、一致しない場合、前記要認証機能のロックを解除しない制御を行う認証手段、
として機能させることを特徴とする。
【発明の効果】
【００１６】
本発明によれば、押圧量検知型タッチパネルを利用してユーザ認証を行う機能を有している電子機器において、１回の操作で複数の異なる符号列の入力を可能にすることで、ユーザ認証におけるユーザの操作回数を減らし、かつ、セキュリティ向上を可能とする。
【図面の簡単な説明】
【００１７】
【図１】本発明の実施の形態１に係る電子機器を示す斜視図である。
【図２】実施の形態１に係る電子機器の機能構成例を示すブロック図である。
【図３】実施の形態１に係るタッチパネルに対する押圧量の段階を示す模式図である。
【図４】実施の形態１に係る押圧量と入力される番号との対応関係を示す図である。
【図５】実施の形態１に係る起動時のユーザ認証画面の一例を示す図である。
【図６】実施の形態１に係る番号１の入力時のユーザ認証画面の一例を示す図である。
【図７】実施の形態１に係る番号２の入力時のユーザ認証画面の一例を示す図である。
【図８】実施の形態１に係る番号入力完了時のユーザ認証画面の一例を示す図である。
【図９】実施の形態１に係る暗証番号情報の一例を示す図である。
【図１０】実施の形態１に係るユーザ認証の動作の一例を示すフローチャートである。
【図１１】本発明の実施の形態２に係る初期表示のユーザ認証画面の一例を示す図である。
【図１２】実施の形態２に係る番号１の入力時のユーザ認証画面の一例を示す図である。
【図１３】実施の形態２に係る番号２の入力時のユーザ認証画面の一例を示す図である。
【図１４】実施の形態２に係る番号入力完了時のユーザ認証画面の一例を示す図である。
【図１５】実施の形態２に係る暗証番号情報の一例を示す図である。
【図１６】本発明の実施の形態３に係るタッチパネルに対する押圧量の段階を示す模式図である。
【図１７】実施の形態３に係る押圧量と入力される番号との対応関係を示す図である。
【図１８】実施の形態４に係る電子機器の機能構成例を示すブロック図である。
【図１９】実施の形態４に係る無操作判断の動作の一例を示すフローチャートである。
【図２０】実施の形態に係る電子機器のハードウェア構成の一例を示すブロック図である。
【発明を実施するための形態】
【００１８】
本発明に係る電子機器は、たとえば、スマートフォン等の携帯電話や、ＰＣ（Personal Computer）、ＰＤＡ（Personal Digital Assistant）など、押圧量検知型タッチパネルディスプレイを備える電子機器である。本発明において、１回の操作とは、ユーザがタッチパネルディスプレイに接触を開始してから連続する接触を終了するまでをいう。
【００１９】
以下に、発明を実施するための形態について図面を参照して詳細に説明する。なお、図中同一または相当する部分には同じ符号を付す。
【００２０】
（実施の形態１）
図１は、本発明の実施の形態１に係る電子機器を示す斜視図である。図１に示すように、電子機器１が押圧量検知型タッチパネルディスプレイＰ（以下、タッチパネルＰという）を備え、ユーザは、タッチパネルＰに表示されたアイコンにタッチして電子機器１に情報を入力する。電子機器１は、ユーザ認証を必要とする機能（以下、要認証機能という）を有する。ユーザが電子機器１の要認証機能を呼び出すと、タッチパネルＰにユーザ認証画面が表示される。
【００２１】
図２は、実施の形態１に係る電子機器の機能構成例を示すブロック図である。電子機器１は、機能部１１、記憶部１２、表示部１３、操作部１４、操作認識部１５および認証制御部１６を備える。
【００２２】
機能部１１は、記憶部１２が記憶する各種データを用いて、電子機器１が備える機能を実行する。機能部１１は、実行する機能の表示画面を表示部１３に表示させる。電子機器１が備える機能のうち、要認証機能が呼び出された場合、機能部１１は、ユーザ認証画面を表示部１３に表示させる。
【００２３】
記憶部１２は、機能部１１が電子機器１の機能を実行するための各種データを記憶する。各種データには、表示画面ごとの、表示画面上の各領域に対応付けられた情報を示す領域情報が含まれる。また、記憶部１２は、要認証機能のロックを解除するための暗証番号を示す暗証番号情報を記憶している。
【００２４】
表示部１３は、機能部１１からの指示にしたがって、表示画面を表示する。表示部１３は、タッチパネルＰによって実現される。
【００２５】
操作部１４は、ユーザが接触した座標および押圧量を検知し、操作認識部１５に送る。操作部１４は、タッチパネルＰによって実現される。
【００２６】
操作認識部１５は、操作部１４から受け取った座標および押圧量と、記憶部１２が記憶する領域情報とに基づいて、ユーザがタッチパネルＰに入力した情報を示す入力情報を取得する。操作認識部１５は、入力情報を認証制御部１６に送る。
【００２７】
認証制御部１６は、操作認識部１５から受け取った入力情報に基づいて、機能部１１に機能を実行させる。たとえば、機能Ａを呼び出す入力情報であった場合、機能Ａを実行させる指示を機能部１１に送る。機能Ａが要認証機能であった場合、認証制御部１６は、ユーザ認証画面を表示させる指示を機能部１１に送る。
【００２８】
ユーザは、ユーザ認証画面に含まれる番号入力領域に番号を入力する。番号入力領域の領域情報は、番号入力領域を構成する領域に対応付けられた番号を示す情報である。操作認識部１５は、操作部１４が検知した押圧量の段階を判別し、１回の操作中に押圧量の段階が変化した２つの変化点を検出する。そして、操作認識部１５は、各変化点でユーザが接触した座標と、記憶部１２が記憶する番号入力領域の領域情報とに基づいて、ユーザが番号入力領域に入力した２つの異なる番号を示す入力番号情報を取得する。操作認識部１５は、入力番号情報を認証制御部１６に送る。
【００２９】
認証制御部１６は、操作認識部１５から入力番号情報を受け取り、記憶部１２が記憶する機能Ａの暗証番号情報と照合して、番号が一致するか否かを判断する。認証制御部１６は、番号が一致した場合、機能Ａのロック解除の指示を機能部１１に送る。
【００３０】
機能部１１は、認証制御部１６からロック解除の指示を受け取ると、ロックを解除して機能Ａを実行する。なお、認証制御部１６は、番号が一致しないと判定した場合、認証エラーの表示画面を表示させる指示を機能部１１に送り、認証エラーの表示画面を表示部１３に表示させてもよい。
【００３１】
図３は、実施の形態１に係るタッチパネルに対する押圧量の段階を示す模式図である。図３に示すように、操作認識部１５は、操作部１４が検知した押圧量が０から閾値１までであった場合、ユーザの操作を無効と判定する（無効弱）。これにより、誤って触れた場合などの誤操作を低減することができる。
【００３２】
操作認識部１５は、操作部１４が検知した押圧量が閾値１から閾値２までであった場合、押圧弱と判定し、操作部１４が検知した押圧量が閾値２から閾値３までであった場合、押圧強と判定する。また、操作認識部１５は、操作部１４が検知した押圧量が閾値３以上であった場合、ユーザの操作を無効と判定する（無効強）。これにより、タッチパネルＰに非常に大きな圧力がかかることによる物理破壊を防ぐことが期待できる。
【００３３】
本実施の形態のユーザ認証画面では、セキュリティ向上のために２つの暗証番号と一致する番号の入力をユーザに要求する。ユーザは、番号入力領域に番号を入力する際、１回の操作中に押圧量を押圧弱にすることで番号１の選択が可能となり、押圧量を押圧強にすることで番号２の選択が可能となる。
【００３４】
図４は、実施の形態１に係る押圧量と入力される番号との対応関係を示す図である。図４は、１回の操作中の押圧量の変化を示している。ユーザの番号入力領域に対する押圧量が無効弱から押圧弱に変化した場合、番号１の入力が可能になる。押圧量が押圧弱から押圧強に変化した場合、番号２の入力が可能になると同時に、番号１の値が決定する。
【００３５】
押圧量が押圧強から無効強に変化した場合、押圧量が無効強の間の操作は無効になる。押圧量が無効強から押圧強に変化した場合、再び番号２の入力が可能になる。そして、押圧量が押圧強から押圧弱に変化した場合、番号２の値が決定する。押圧量が押圧弱から無効弱に変化した場合、押圧量が無効弱の間の操作は無効になる。
【００３６】
続いて、ユーザ認証画面に番号を入力する動作について説明する。
【００３７】
図５は、実施の形態１に係る初期表示のユーザ認証画面の一例を示す図である。ユーザが要認証機能を呼び出す情報をタッチパネルＰに入力した場合、認証制御部１６は、ユーザ認証画面を表示させる指示を機能部１１に送る。機能部１１は、図５に示すようなユーザ認証画面を表示部１３（タッチパネルＰ）に表示させる。
【００３８】
ユーザ認証画面は、番号１を表示する表示領域１０１と、現在選択されている番号を表示する表示領域１０２と、番号２を表示する表示領域１０３と、番号入力領域であるダイヤルアイコン１０４と、決定した番号を確定する確定ボタン１０６と、決定した番号をキャンセルするキャンセルボタン１０７とで構成される。
【００３９】
本実施の形態では、ダイヤルアイコン１０４の外周上に１°間隔で３６０個の点を設定し、０００〜３５９までの３桁の番号を割り当てている。表示領域１０２の左横の矢印が指し示すダイヤルアイコン１０４の外周上の座標が最も近い点に割り当てられた番号が選択される。なお、ダイヤルアイコン１０４の外周上に、１°間隔で３６０個の領域を設定し、０００〜３５９までの３桁の番号を割り当て、表示領域１０２の左横の矢印が指し示すダイヤルアイコン１０４の外周上の座標が含まれる領域に割り当てられた番号が選択されることとしてもよい。表示領域１０２には、現在選択されている番号が表示される。
【００４０】
また、初期表示のユーザ認証画面では、番号が決定していないので、確定ボタン１０６およびキャンセルボタン１０７はグレーアウトしている。
【００４１】
図６は、実施の形態１に係る番号１の入力時のユーザ認証画面の一例を示す図である。ユーザが押圧弱（閾値１から閾値２の値）の力でダイヤルアイコン１０４をドラッグして回転させることで、番号１の選択が可能となる。たとえば、ユーザが最初に接触した座標を原点として、ユーザが接触している座標が移動した際の、ダイヤルアイコン１０４の中心を頂点とする角度変化を計測し、その角度変化から選択された番号１を認識する。図６の例では、ユーザが選択している番号１の値は「０４５」であり、表示領域１０２および表示領域１０１に、それぞれ「０４５」が表示されている。
【００４２】
番号１を選択している間、表示領域１０５には、番号１（押圧弱）の文字が表示されている。また、番号１の入力中には、番号２の入力は不可であるので、図６の例では、番号２を表示する表示領域１０３はグレーアウトしている。これにより、ユーザは、自分の指の力が押圧弱であり、番号１を入力中であることを明確に認識できる。また、番号１の入力時のユーザ認証画面では、２つの番号が決定していないので、確定ボタン１０６およびキャンセルボタン１０７はグレーアウトしている。
【００４３】
図７は、実施の形態１に係る番号２の入力時のユーザ認証画面の一例を示す図である。ユーザがダイヤルアイコン１０４に触れたまま、押圧量を押圧弱（閾値１から閾値２の値）から押圧強（閾値２から閾値３の値）に変化させると、番号１の値が決定する。そして、ユーザが押圧強の力でダイヤルアイコン１０４をドラッグして回転させることで、番号２の選択が可能となる。たとえば、ユーザが押圧量を押圧弱から押圧強に変化させた座標を原点として、ユーザが接触している座標が移動した際の、ダイヤルアイコン１０４の中心を頂点とする角度変化を計測し、その角度変化と決定した番号１の値とから選択された番号２を認識する。図７の例では、ユーザが選択している番号２の値は「１２３」であり、表示領域１０２および表示領域１０３に、それぞれ「１２３」が表示されている。
【００４４】
番号２を選択している間、表示領域１０８には、番号２（押圧強）の文字が表示されている。また、番号２の入力中には、番号１は決定しているので、図６の例では、表示領域１０１は、決定した番号１の値を表示し、グレーアウトしている。これにより、ユーザは、自分の指の力が押圧強であり、番号２を入力中であることを明確に認識できる。また、番号２の入力時のユーザ認証画面でも、２つの番号が決定していないので、確定ボタン１０６およびキャンセルボタン１０７はグレーアウトしている。
【００４５】
図８は、実施の形態１に係る番号入力完了時のユーザ認証画面の一例を示す図である。ユーザがダイヤルアイコン１０４から指を離し、その過程で押圧量が押圧強（閾値２から閾値３の値）から押圧弱（閾値１から閾値２の値）に変化すると、番号２の値が決定する。図８の例では、ダイヤルアイコン１０４は初期の状態に戻り、表示領域１０１には決定した番号１の値「０４５」が、表示領域１０３には決定した番号２の値「１２３」が表示されている。このとき、ダイヤルアイコン１０４は、初期の状態に戻らず、番号２の値を示したままでもよい。
【００４６】
また、番号入力完了時のユーザ認証画面では、番号１および番号２が決定しているので、現在選択されている番号を表示する表示領域１０２はグレーアウトしており、確定ボタン１０６およびキャンセルボタン１０７が押下可能である。図８の状態で、ユーザがキャンセルボタン１０７を押下すると、番号１の値「０４５」および番号２の値「１２３」がクリアされる。図８の状態で、ユーザが確定ボタン１０６を押下すると、番号１の値「０４５」および番号２の値「１２３」が確定する。
【００４７】
操作認識部１５は、確定した番号１の値「０４５」および番号２の値「１２３」を示す入力番号情報を認証制御部１６に送る。
【００４８】
図９は、実施の形態１に係る暗証番号情報の一例を示す図である。記憶部１２は、各要認証機能の暗証番号情報を記憶している。図９は、図５〜図８のユーザ認証画面を表示した要認証機能の暗証番号情報である。認証制御部１６は、操作認識部１５から番号１の値「０４５」および番号２の値「１２３」を示す入力番号情報を受け取ると、図９に示す暗証番号情報と照合する。番号１および番号２が暗証番号１および暗証番号２と一致するので、認証制御部１６は、該要認証機能のロック解除の指示を機能部１１に送る。
【００４９】
図１０は、実施の形態１に係るユーザ認証の動作の一例を示すフローチャートである。図１０のユーザ認証処理は、ユーザが要認証機能を呼び出すことにより、ユーザ認証画面が表示部１３（タッチパネルＰ）に表示されて、開始する。電子機器１の操作部１４は、ユーザ認証画面に対する押圧を検知しない場合（ステップＳ１１；ＮＯ）、ユーザ認証画面に対する押圧を検知するまでステップＳ１１を繰り返す。操作部１４が、ユーザ認証画面に対する押圧を検知した場合（ステップＳ１１；ＹＥＳ）、操作認識部１５は、押圧量が閾値１以上であるか否かを判定する（ステップＳ１２）。
【００５０】
押圧量が閾値１以上でない場合（ステップＳ１２；ＮＯ）、押圧量が０になったか否かを判定する（ステップＳ１３）。押圧量が０になっていなければ（ステップＳ１３；ＮＯ）、ステップＳ１２およびステップＳ１３を繰り返す。押圧量が０になった場合（ステップＳ１３；ＹＥＳ）、ユーザが途中でタッチパネルＰから指を離したので操作を無効とし、ステップＳ１１に戻る。押圧量が閾値１以上であった場合（ステップＳ１２；ＹＥＳ）、押圧量が閾値２以上になったか否かを判定する（ステップＳ１４）。
【００５１】
押圧量が閾値２以上になっていない場合（ステップＳ１４；ＮＯ）、押圧量が０になったか否かを判定する（ステップＳ１３）。押圧量が０になっていなければ（ステップＳ１３；ＮＯ）、ステップＳ１２〜ステップＳ１４を繰り返す。押圧量が０になった場合（ステップＳ１３；ＹＥＳ）、ユーザが途中でタッチパネルＰから指を離したので操作を無効とし、ステップＳ１１に戻る。押圧量が閾値２以上になった場合（ステップＳ１４；ＹＥＳ）、操作認識部１５は、現時点で選択されている番号１の値を決定する（ステップＳ１５）。
【００５２】
押圧量が閾値３以上になった場合（ステップＳ１６；ＹＥＳ）、認証制御部１６は、ユーザに、タッチパネルＰに非常に大きな圧力がかかっていることを報知し、物理破損を防ぐために、エラー画面を表示させる指示を機能部１１に送り、表示部１３にエラー表示させる（ステップＳ１７）。なお、ユーザにタッチパネルＰに非常に大きな圧力がかかっていることを報知する方法であれば、エラー表示に限らず、音声出力や、ランプ点灯、バイブ振動などでもよい。
【００５３】
押圧量が閾値３以下である場合（ステップＳ１６；ＮＯ）、操作認識部１５は、押圧量が閾値２以下になったか否かを判定する（ステップＳ１８）。押圧量が閾値２以下になっていない場合（ステップＳ１８；ＮＯ）、ステップＳ１６に戻り、ステップＳ１６〜ステップＳ１８を繰り返す。
【００５４】
押圧量が閾値２以下になった場合（ステップＳ１８；ＹＥＳ）、操作認識部１５は、現時点で選択されている番号２の値を決定する（ステップＳ１９）。ここで、キャンセルボタン１０７が押下された場合（ステップＳ２０；ＹＥＳ）、ステップＳ１５およびステップＳ１９で決定した番号をクリアし（ステップＳ２１）、ステップＳ１１に戻る。
【００５５】
キャンセルボタン１０７が押下されない場合（ステップＳ２０；ＮＯ）、操作認識部１５は、確定ボタンが押下されたか否かを判定する（ステップＳ２２）。確定ボタン１０６が押下されない場合（ステップＳ２２；ＮＯ）、ステップＳ２０に戻って、ステップＳ２０〜ステップＳ２２を繰り返す。
【００５６】
確定ボタン１０６が押下された場合（ステップＳ２２；ＹＥＳ）、操作認識部１５は、番号１の値および番号２の値を確定し（ステップＳ２３）、番号１の値および番号２の値を示す入力番号情報を認証制御部１６に送る。認証制御部１６は、入力番号情報と、記憶部１２が記憶する暗証番号情報と照合して、番号が一致するか否かを判定する（ステップＳ２４）。
【００５７】
番号が一致しない場合（ステップＳ２４；ＮＯ）、認証制御部１６は、処理を終了する。このとき、認証制御部１６は、認証エラーの表示画面を表示させる指示を機能部１１に送り、認証エラーの表示画面を表示部１３に表示させてもよい。番号が一致した場合（ステップＳ２４；ＹＥＳ）、認証制御部１６は、ロック解除の指示を機能部１１に送り、ユーザ呼び出した要認証機能のロックを解除させ（ステップＳ２５）、処理を終了する。
【００５８】
以上説明したように、実施の形態１の電子機器によれば、押圧量検知型タッチパネルを利用してユーザ認証を行う機能を有している電子機器において、１回の操作で複数の異なる符号列の入力を可能にすることで、ユーザ認証におけるユーザの操作回数を減らし、かつ、セキュリティ向上を可能とする。実施の形態１では、ユーザは、タッチパネルＰから指を離すことなく、１回の操作で、０００〜３５９の３桁の番号１および番号２を入力することができる。
【００５９】
（実施の形態２）
実施の形態２は、実施の形態１と、ユーザ認証画面における番号の入力方法が異なり、番号を球面座標で入力する。本実施の形態では、緯線を１°間隔で１８０本設定し、０００〜１７９までの３桁の番号を割り当てている。経線を１°間隔で３６０本設定し、０００〜３５９までの３桁の番号を割り当てている。番号１および番号２は、それぞれ、緯線と経線とが交わる点（以下、交点という）で入力され、０００〜１７９までの３桁の番号と、０００〜３５９の３桁の番号との組み合わせで表される。その他の構成は実施の形態１と同様である。
【００６０】
図１１は、実施の形態２に係る初期表示のユーザ認証画面の一例を示す図である。実施の形態２のユーザ認証画面は、番号１を表示する表示領域１０１と、現在選択されている番号を表示する表示領域１０２と、番号２を表示する表示領域１０３と、番号入力領域である球体アイコン１０９と、決定した番号を確定する確定ボタン１０６と、決定した番号をキャンセルするキャンセルボタン１０７とで構成される。表示領域１０２の左横の矢印が指し示す球体アイコン１０９の座標に最も近い交点に割り当てられた番号が選択される。なお、球体アイコン１０９の球面上に、１°間隔で１８０本設定された緯線と、１°間隔で３６０本設定された経線とで囲まれる最小の領域にそれぞれ、０００〜１７９までの３桁の番号と、０００〜３５９の３桁の番号との組み合わせを割り当て、表示領域１０２の左横の矢印が指し示す球体アイコン１０９の球面上の座標が含まれる領域に割り当てられた番号が選択されることとしてもよい。
【００６１】
初期表示のユーザ認証画面では、決定した番号がないので、確定ボタン１０６およびキャンセルボタン１０７はグレーアウトしている。
【００６２】
図１２は、実施の形態２に係る番号１の入力時のユーザ認証画面の一例を示す図である。ユーザが押圧弱（閾値１から閾値２の値）の力で球体アイコン１０９をドラッグして回転させることで、番号１の選択が可能となる。たとえば、ユーザが最初に接触した座標を原点として、ユーザが接触している座標が移動した際の、球体アイコン１０９の中心を頂点とする角度変化を計測し、その角度変化から選択された番号１を認識する。図１２の例では、ユーザが選択している番号１の値は「０１２」および「２３４」であり、表示領域１０２および表示領域１０１に、それぞれ「０１２」および「２３４」が表示されている。
【００６３】
番号１を選択している間、表示領域１０５には、番号１（押圧弱）の文字が表示されている。また、番号１の入力中には、番号２を表示する表示領域１０３、確定ボタン１０６およびキャンセルボタン１０７はグレーアウトしている。
【００６４】
図１３は、実施の形態２に係る番号２の入力時のユーザ認証画面の一例を示す図である。ユーザが球体アイコン１０９に触れたまま、押圧弱（閾値１から閾値２の値）から、押圧強（閾値２から閾値３の値）に変化させると、番号１の値が決定する。そして、ユーザが押圧強の力で球体アイコン１０９をドラッグして回転させることで、番号２の選択が可能となる。たとえば、ユーザが押圧量を押圧弱から押圧強に変化させた座標を原点として、ユーザが接触している座標が移動した際の、球体アイコン１０９の中心を頂点とする角度変化を計測し、その角度変化と決定した番号１の値とから選択された番号２を認識する。図１３の例では、ユーザが選択している番号２の値は「１５３」および「３４５」であり、表示領域１０２および表示領域１０３に「１５３」および「３４５」が表示されている。
【００６５】
番号２を選択している間、表示領域１０８には、番号２（押圧強）の文字が表示されている。また、番号２の入力中には、表示領域１０１は、決定した番号１の値を表示し、グレーアウトしている。さらに、確定ボタン１０６およびキャンセルボタン１０７はグレーアウトしている。
【００６６】
図１４は、実施の形態２に係る番号入力完了時のユーザ認証画面の一例を示す図である。ユーザが球体アイコン１０９から指を離し、その過程で押圧量が押圧強（閾値２から閾値３の値）から押圧弱（閾値１から閾値２の値）に変化すると、番号２の値が決定する。図１４の例では、球体アイコン１０９は初期の状態に戻り、表示領域１０１には決定した番号１の値「０１２」および「２３４」が、表示領域１０３には決定した番号２の値「１５３」および「３４５」が表示されている。このとき、球体アイコン１０９は、初期の状態に戻らず、番号２の値を示したままでもよい。
【００６７】
番号入力完了時のユーザ認証画面では、現在選択されている番号を表示する表示領域１０２はグレーアウトしており、確定ボタン１０６およびキャンセルボタン１０７が押下可能である。図１４の状態で、ユーザがキャンセルボタン１０７を押下すると、番号１の値「０１２」および「２３４」と、番号２の値「１５３」および「３４５」とがクリアされる。図１４の状態で、ユーザが確定ボタン１０６を押下すると、番号１の値「０１２」および「２３４」と、番号２の値「１５３」および「３４５」とが確定する。
【００６８】
操作認識部１５は、確定した番号１の値「０１２」および「２３４」と、番号２の値「１５３」および「３４５」とを示す入力番号情報を認証制御部１６に送る。
【００６９】
図１５は、実施の形態２に係る暗証番号情報の一例を示す図である。図１５は、図１１〜図１４のユーザ認証画面を表示した要認証機能の暗証番号情報である。認証制御部１６は、操作認識部１５から番号１の値「０１２」および「２３４」と、番号２の値「１５３」および「３４５」とを示す入力番号情報を受け取ると、図１５に示す暗証番号情報と照合する。番号１および番号２が暗証番号１および暗証番号２と一致するので、認証制御部１６は、該要認証機能のロック解除の指示を機能部１１に送る。
【００７０】
以上説明したように、実施の形態２の電子機器では、ユーザは、タッチパネルＰから指を離すことなく、１回の操作で、０００〜１７９と０００〜３５９との組み合わせで表される合計６桁の番号１および番号２を入力することができ、よりセキュリティが向上する。
【００７１】
（実施の形態３）
実施の形態３は、実施の形態１および実施の形態２と、タッチパネルに対する押圧量の閾値と、押圧量と入力される番号との対応関係とが異なる。本実施の形態では、押圧弱および押圧強と判定する押圧量の間に無効の範囲を設ける。その他の構成は実施の形態１および実施の形態２と同様である。
【００７２】
図１６は、実施の形態３に係るタッチパネルに対する押圧量の段階を示す模式図である。図１６に示すように、操作認識部１５は、操作部１４が検知した押圧量が０から閾値１までであった場合、ユーザの操作を無効とし（無効弱）、操作部１４が検知した押圧量が閾値１から閾値２Ａまでであった場合、押圧弱と判定する。操作認識部１５は、操作部１４が検知した押圧量が閾値２Ａから閾値２Ｂまでであった場合、ユーザの操作を無効とする（無効中）。そして、操作部１４が検知した押圧量が２Ｂから閾値３までであった場合、押圧強と判定し、操作部１４が検知した押圧量が閾値３以上であった場合、ユーザの操作を無効とする（無効強）。無効中を設けることにより、ユーザが押圧弱の操作中に意図せずに、いきなり押圧強の操作に遷移してしまうことを防ぐことができる。
【００７３】
なお、図３に示した例は、無効中の範囲がない場合であって、図１６の閾値２Ａと閾値２Ｂが一致して、図３の閾値２に相当する。
【００７４】
図１７は、実施の形態３に係る押圧量と入力される番号との対応関係を示す図である。図１７は、１回の操作中の押圧量の変化を示している。ユーザの番号入力領域に対する押圧量が無効弱から押圧弱に変化した場合、番号１の入力が可能になる。押圧量が押圧弱から無効中に変化した場合、押圧量が無効中の間の操作は無効になる。押圧量が無効中から押圧強に変化した場合、番号２の入力が可能になると同時に、番号１の値が決定する。
【００７５】
押圧量が押圧強から無効強に変化した場合、押圧量が無効強の間の操作は無効になる。押圧量が無効強から押圧強に変化した場合、再び番号２の入力が可能になる。そして、押圧量が押圧強から無効中に変化した場合、押圧量が無効中の間の操作は無効となる。押圧量が無効中から押圧弱に変化した場合、番号２の値が決定する。このとき、押圧弱になるが番号１は決定しているため番号１の入力を不可とする。押圧量が押圧弱から無効弱に変化した場合、押圧量が無効弱の間の操作は無効になる。
【００７６】
以上説明したように、実施の形態３の電子機器では、押圧弱および押圧強と判定する押圧量の間に無効の範囲を設けることにより、ユーザが押圧弱で番号１を入力中に意図せずに、いきなり番号２の入力に遷移してしまうことを防ぐことができる。
【００７７】
（実施の形態４）
実施の形態４は、実施の形態１、実施の形態２および実施の形態３の構成に加え、ユーザがタッチパネルＰに接触しない時間（以下、無操作時間という）の判断を行う。
【００７８】
図１８は、本発明の実施の形態４に係る電子機器の構成例を示すブロック図である。実施の形態４の電子機器１には、実施の形態１の電子機器１に無操作判断部１７が追加されている。無操作判断部１７は、操作部１４から、ユーザが接触した座標および／または押圧量を受け取り、無操作時間を計測する。無操作判断部１７は、無操作時間が所定の時間を超えた場合、認証制御部１６に無操作時間が所定の時間を超えたことを示す情報を送る。
【００７９】
認証制御部１６は、無操作判断部１７から無操作時間が所定の時間を超えたことを示す情報を受け取ると、ユーザ認証画面の表示を中止する指示を機能部１１に送る。機能部１１は、認証制御部１６からの指示にしたがって、ユーザ認証画面の表示を中止する。これにより、省電力を実現でき、かつ、暗証番号が表示された状態のユーザ認証画面を表示し続けることにより暗証番号を他者に見られるリスクを低減することができる。
【００８０】
図１９は、実施の形態４に係る無操作判断の動作の一例を示すフローチャートである。図１９の無操作判断は、ユーザが要認証機能を呼び出すことにより、ユーザ認証画面が表示部１３（タッチパネルＰ）に表示されて、開始する。電子機器１の無操作判断部１７は、操作部１４が、ユーザ認証画面に対する押圧を検知しない場合（ステップＳ３１；ＮＯ）、無操作時間の計測を開始し、無操作時間が所定の時間を超えたか否かを判定する（ステップＳ３３）。
【００８１】
無操作時間が所定の時間を超えていない場合（ステップＳ３３；ＮＯ）、ステップＳ３１に戻り、ステップＳ３１およびステップＳ３３を繰り返す。無操作判断部１７は、操作部１４が、ユーザ認証画面に対する押圧を検知した場合（ステップＳ３１；ＹＥＳ）、無操作時間をクリアし（ステップＳ３２）、ステップＳ３１に戻る。
【００８２】
無操作時間が所定の時間を超えた場合（ステップＳ３３；ＹＥＳ）、無操作判断部１７は、認証制御部１６に無操作時間が所定の時間を超えたことを示す情報を送る。認証制御部１６は、無操作判断部１７から無操作時間が所定の時間を超えたことを示す情報を受け取ると、ユーザ認証画面の表示を中止する指示を機能部１１に送り、ユーザ認証画面の表示を中止させて（ステップＳ３４）、処理を終了する。
【００８３】
以上説明したように、実施の形態４の電子機器では、無操作時間が所定の時間を超えたときに、ユーザ認証画面の表示を中止することにより、省電力を実現でき、かつ、暗証番号が表示された状態のユーザ認証画面を表示し続けることにより暗証番号を他者に見られるリスクを低減することができる。
【００８４】
上記の実施の形態では、無効弱、無効中、無効強のユーザの操作を無効とする押圧量の範囲を設けている。しかし、これに限らず、ユーザの操作を無効とする押圧量の範囲はなくてもよく、操作認識部１５は、少なくとも２段階の押圧量を判別し、少なくとも２つの変化点を検出すればよい。すなわち、押圧量の段階を判別する閾値は少なくとも１つあればよい。
【００８５】
上記の実施の形態では、３桁の番号または６桁の番号を入力可能としている。しかし、これに限らず、入力桁数や入力可能な範囲は変更可能である。また、暗証符号列や、入力する符号列は番号に限らず文字や記号としてもよい。さらに、符号列入力領域は、回転させるアイコンに限らず、たとえば、固定されて配置された符号列であって、ユーザが触れた座標に表示されている符号列を選択可能にしてもよい。
【００８６】
上記の実施の形態では、２つの変化点と番号１および番号２とを対応付けている。しかし、これに限らず、３つの変化点と番号１、番号２および番号３とを対応付けるなど、Ｎ個の変化点とＮ個の番号とを対応付けるとよい（Ｎ≧２）。また、押圧量０から押圧量＞０の変化点に番号を対応付けてもよい。この場合、たとえば、符号列が固定されて配置された符号列入力領域にユーザが接触した瞬間、接触した座標に対応付けられた1つ目の番号が決定する。
【００８７】
以上、実施の形態１〜４を説明したが、これらの実施の形態はそれぞれ組み合わせてもよい。
【００８８】
図２０は、実施の形態に係る電子機器のハードウェア構成の一例を示すブロック図である。
【００８９】
制御部３１はＣＰＵ（Central Processing Unit）等から構成され、外部記憶部３３に記憶されている制御プログラム３９に従って、機能部１１、操作認識部１５、認証制御部１６および無操作判断部１７の各処理を実行する。
【００９０】
主記憶部３２はＲＡＭ（Random Access Memory）等から構成され、外部記憶部３３に記憶されている制御プログラム３９をロードし、制御部３１の作業領域として用いられる。
【００９１】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、電子機器１の処理を制御部３１に行わせるためのプログラムをあらかじめ記憶し、また、制御部３１の指示に従って、このプログラムが記憶するデータを制御部３１に供給し、制御部３１から供給されたデータを記憶する。記憶部１２は、外部記憶部３３に構成される。
【００９２】
操作部３４は押圧量検知型タッチパネルと、押圧量検知型タッチパネルを内部バス３０に接続するインタフェース装置から構成されている。ユーザが入力した情報は、操作部３４を介して、制御部３１に供給される。操作部３４は、操作部１４として機能する。
【００９３】
表示部３５は、ＣＲＴ（Cathode Ray Tube）またはＬＣＤ（Liquid Crystal Display）などから構成され、制御部３１から受け取った表示情報を表示する。表示部３５は、表示部１３として機能する。タッチパネルＰは、表示部３５に操作部３４を重ねた押圧量検知型タッチパネルディスプレイである。
【００９４】
図２および図１８に示す電子機器１の機能部１１、記憶部１２、表示部１３、操作部１４、操作認識部１５、認証制御部１６および無操作判断部１７の処理は、制御プログラム３９が、制御部３１、主記憶部３２、外部記憶部３３、操作部３４および表示部３５などを資源として用いて処理することによって実行する。
【００９５】
その他、前記のハードウェア構成やフローチャートは一例であり、任意に変更および修正が可能である。
【００９６】
制御部３１、主記憶部３２、外部記憶部３３、操作部３４および表示部３５などから構成される電子機器１の処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する電子機器１を構成してもよい。また、インターネット等の通信ネットワーク上のサーバ装置が有する記憶装置に当該コンピュータプログラムを格納しておき、通常のコンピュータシステムがダウンロード等することで電子機器１を構成してもよい。
【００９７】
また、電子機器１の機能を、ＯＳ（Operating System）とアプリケーションプログラムの分担、またはＯＳとアプリケーションプログラムとの協働により実現する場合などには、アプリケーションプログラム部分のみを記録媒体や記憶装置に格納してもよい。
【００９８】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【００９９】
上記の実施形態の一部または全部は、以下の請求項のようにも記載されうるが、以下には限られない。
【０１００】
（付記１）
タッチパネルディスプレイを備え、ユーザ認証を必要とする要認証機能を有する電子機器であって、
前記要認証機能のユーザ認証画面を前記タッチパネルディスプレイに表示する表示手段と、
前記要認証機能のロックを解除する暗証符号列を示す暗証符号列情報と、前記ユーザ認証画面を構成する領域に対応付けられた符号列を示す領域情報とを記憶する記憶手段と、
ユーザが前記タッチパネルディスプレイに接触した座標および押圧量を検知する検知手段と、
前記ユーザが前記タッチパネルディスプレイに接触を開始してから、連続する接触を終了するまでの１回の操作中に、前記検知手段が検知した前記押圧量が２以上の段階に亘って変化した場合に、前記押圧量の２以上の変化点を検出する判別手段と、
前記判別手段が検出した前記変化点それぞれの前記座標と、前記領域情報とに基づいて、２以上の異なる符号列を認識し、前記ユーザが１回の操作で前記ユーザ認証画面に入力した前記２以上の異なる符号列を示す入力符号列情報を取得する認識手段と、
前記暗証符号列情報と前記入力符号列情報とを照合して、一致する場合、前記要認証機能のロックを解除し、一致しない場合、前記要認証機能のロックを解除しない制御を行う認証手段と、
を備えることを特徴とする電子機器。
【０１０１】
（付記２）
前記判別手段は、第１閾値以下の前記押圧量を押圧弱と判別し、前記第１閾値以上の値である第２閾値以上の前記押圧量を押圧強と判別し、前記押圧量が前記押圧強に変化する第１の変化点と、前記押圧量の段階が前記押圧強と判別した後、前記押圧弱に変化する第２の変化点とを検出し、
前記認識手段は、前記第１の変化点の前記座標と、前記領域情報とに基づいて、第１の符号列を認識し、前記第２の変化点の前記座標と、前記領域情報とに基づいて、第２の符号列を認識し、前記ユーザが１回の操作で前記ユーザ認証画面に入力した前記第１の符号列および前記第２の符号列を示す前記入力符号列情報を取得する、
ことを特徴とする付記１に記載の電子機器。
【０１０２】
（付記３）
前記判別手段は、前記第１閾値より小さい値である第３閾値以下の前記押圧量を無効と判別し、前記第２閾値より大きい値である第４閾値以上の前記押圧量を無効と判別し、
前記認識手段は、前記判別手段が判別した前記押圧量の段階が無効である場合、前記ユーザの操作を無効と認識する、
ことを特徴とする付記２に記載の電子機器。
【０１０３】
（付記４）
前記ユーザ認証画面は、前記符号列を入力する符号列入力領域を含み、前記符号列入力領域は、ドラッグして回転させることで、前記符号列を入力可能なダイヤルアイコンであることを特徴とする付記１ないし３のいずれかに記載の電子機器。
【０１０４】
（付記５）
前記ユーザ認証画面は、前記符号列を入力する符号列入力領域を含み、前記符号列入力領域は、ドラッグして回転させることで、同時に２組の前記符号列を入力可能な球体アイコンであることを特徴とする付記１ないし３のいずれかに記載の電子機器。
【０１０５】
（付記６）
前記検知手段が継続して前記座標および前記押圧量を検知しない無操作時間を計測し、前記無操作時間が所定の時間を超えたか否かを判断する無操作判断手段をさらに備え、
前記表示手段は、前記無操作判断手段が、前記無操作時間が所定の時間を超えたと判断した場合、前記ユーザ認証画面の表示を中止することを特徴とする付記１ないし５のいずれかに記載の電子機器。
【０１０６】
（付記７）
タッチパネルディスプレイを備え、ユーザ認証を必要とする要認証機能を有する電子機器が実行するユーザ認証方法であって、
前記要認証機能のユーザ認証画面を前記タッチパネルディスプレイに表示する表示ステップと、
ユーザが前記タッチパネルディスプレイに接触した座標および押圧量を検知する検知ステップと、
前記ユーザが前記タッチパネルディスプレイに接触を開始してから、連続する接触を終了するまでの１回の操作中に、前記検知ステップが検知した前記押圧量が２以上の段階に亘って変化した場合に、前記押圧量の２以上の変化点を検出する判別ステップと、
前記判別ステップが検出した前記変化点それぞれの前記座標と、記憶手段が記憶する前記ユーザ認証画面を構成する領域に対応付けられた符号列を示す領域情報とに基づいて、２以上の異なる符号列を認識し、前記ユーザが１回の操作で前記ユーザ認証画面に入力した前記２以上の異なる符号列を示す入力符号列情報を取得する認識ステップと、
前記記憶手段が記憶する前記要認証機能のロックを解除する暗証符号列を示す暗証符号列情報と前記入力符号列情報とを照合して、一致する場合、前記要認証機能のロックを解除し、一致しない場合、前記要認証機能のロックを解除しない制御を行う認証ステップと、
を備えることを特徴とするユーザ認証方法。
【０１０７】
（付記８）
前記判別ステップでは、第１閾値以下の前記押圧量を押圧弱と判別し、前記第１閾値以上の値である第２閾値以上の前記押圧量を押圧強と判別し、前記押圧量が前記押圧強に変化する第１の変化点と、前記押圧量の段階が前記押圧強と判別した後、前記押圧弱に変化する第２の変化点とを検出し、
前記認識ステップでは、前記第１の変化点の前記座標と、前記領域情報とに基づいて、第１の符号列を認識し、前記第２の変化点の前記座標と、前記領域情報とに基づいて、第２の符号列を認識し、前記ユーザが１回の操作で前記ユーザ認証画面に入力した前記第１の符号列および前記第２の符号列を示す前記入力符号列情報を取得する、
ことを特徴とする付記７に記載のユーザ認証方法。
【０１０８】
（付記９）
前記判別ステップでは、前記第１閾値より小さい値である第３閾値以下の前記押圧量を無効と判別し、前記第２閾値より大きい値である第４閾値以上の前記押圧量を無効と判別し、
前記認識ステップでは、前記判別ステップで判別した前記押圧量の段階が無効である場合、前記ユーザの操作を無効と認識する、
ことを特徴とする付記８に記載のユーザ認証方法。
【０１０９】
（付記１０）
前記ユーザ認証画面は、前記符号列を入力する符号列入力領域を含み、前記符号列入力領域は、ドラッグして回転させることで、前記符号列を入力可能なダイヤルアイコンであることを特徴とする付記７ないし９のいずれかに記載のユーザ認証方法。
【０１１０】
（付記１１）
前記ユーザ認証画面は、前記符号列を入力する符号列入力領域を含み、前記符号列入力領域は、ドラッグして回転させることで、同時に２組の前記符号列を入力可能な球体アイコンであることを特徴とする付記７ないし９のいずれかに記載のユーザ認証方法。
【０１１１】
（付記１２）
前記検知ステップで継続して前記押圧量を検知しない無操作時間を計測し、前記無操作時間が所定の時間を超えたか否かを判断する無操作判断ステップをさらに備え、
前記表示ステップでは、前記無操作判断ステップで、前記無操作時間が所定の時間を超えたと判断した場合、前記ユーザ認証画面の表示を中止することを特徴とする付記７ないし１１のいずれかに記載のユーザ認証方法。
【０１１２】
（付記１３）
タッチパネルディスプレイを備え、ユーザ認証を必要とする要認証機能を有するコンピュータを、
前記要認証機能のユーザ認証画面を前記タッチパネルディスプレイに表示する表示手段、
前記要認証機能のロックを解除する暗証符号列を示す暗証符号列情報と、前記ユーザ認証画面を構成する領域に対応付けられた符号列を示す領域情報とを記憶する記憶手段、
ユーザが前記タッチパネルディスプレイに接触した座標および押圧量を検知する検知手段、
前記ユーザが前記タッチパネルディスプレイに接触を開始してから、連続する接触を終了するまでの１回の操作中に、前記検知手段が検知した前記押圧量が２以上の段階に亘って変化した場合に、前記押圧量の２以上の変化点を検出する判別手段、
前記判別手段が検出した前記変化点それぞれの前記座標と、前記領域情報とに基づいて、２以上の異なる符号列を認識し、前記ユーザが１回の操作で前記ユーザ認証画面に入力した前記２以上の異なる符号列を示す入力符号列情報を取得する認識手段、および、
前記暗証符号列情報と前記入力符号列情報とを照合して、一致する場合、前記要認証機能のロックを解除し、一致しない場合、前記要認証機能のロックを解除しない制御を行う認証手段、
として機能させることを特徴とするプログラム。
【符号の説明】
【０１１３】
１  電子機器
１１  機能部
１２  記憶部
１３  表示部
１４  操作部
１５  操作認識部
１６  認証制御部
１７  無操作判断部
３０  内部バス
３１  制御部
３２  主記憶部
３３  外部記憶部
３４  操作部
３５  表示部
３９  制御プログラム
１０１〜１０３  表示領域
１０４  ダイヤルアイコン
１０５  表示領域
１０６  確定ボタン
１０７  キャンセルボタン
１０８  表示領域
１０９  球体アイコン
Ｐ  タッチパネル
【図１】
2013257661.tif 000003
【図２】
2013257661.tif 000004
【図３】
2013257661.tif 000005
【図４】
2013257661.tif 000006
【図５】
2013257661.tif 000007
【図６】
2013257661.tif 000008
【図７】
2013257661.tif 000009
【図８】
2013257661.tif 000010
【図９】
2013257661.tif 000011
【図１０】
2013257661.tif 000012
【図１１】
2013257661.tif 000013
【図１２】
2013257661.tif 000014
【図１３】
2013257661.tif 000015
【図１４】
2013257661.tif 000016
【図１５】
2013257661.tif 000017
【図１６】
2013257661.tif 000018
【図１７】
2013257661.tif 000019
【図１８】
2013257661.tif 000020
【図１９】
2013257661.tif 000021
【図２０】
2013257661.tif 000022